【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
遊技球が流下可能な第１流路と、
遊技球が流下可能に構成され、前記第１流路とは異なる第２流路と、を備え、
前記第１流路と前記第２流路とのうち少なくとも一方が変位することで、前記第１流路と前記第２流路とが連通し、前記第１流路を流下した遊技球が前記第２流路へと流入可能となる第１状態と、前記第１流路と前記第２流路とが離間し、前記第１流路を流下した遊技球が前記第２流路へと流入困難となる第２状態と、を少なくとも形成可能な遊技機において、
前記第１流路または前記第２流路のうち一方に変位可能に配設され、前記第１流路または前記第２流路のうち他方に当接する特定位置に変位することで前記第１流路と前記第２流路とを連通させる変位手段と、
前記第２状態において前記第１流路へと流入した遊技球が前記第２流路方向へと流下することを、前記第２状態の間抑制することが可能な抑制手段と、
所定の実行条件の成立に基づいて遊技者に有利な特典遊技を実行する特典遊技実行手段と、を備え、
前記第２流路は、流入した遊技球が前記第１流路側へと戻り難く構成されているものであり、
前記遊技機は、
前記特典遊技の実行中において予め定められた特定条件が成立すると前記第１流路へと複数の遊技球が流入し易くなるように構成されていることを特徴とする遊技機。
【請求項２】
遊技球を遊技領域へと発射可能な発射手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、遊技領域へと発射された遊技球が通過可能な流路が複数設けられているものがある。
【手続補正３】
【補正対象書類名】明細書
【補正対象項目名】０００４
【補正方法】変更
【補正の内容】
【０００４】
しかしながら、上述した従来の遊技機では、遊技球を好適に流下させることができなくなってしまう虞があった。
【手続補正４】
【補正対象書類名】明細書
【補正対象項目名】０００５
【補正方法】変更
【補正の内容】
【０００５】
本発明は、上記例示した問題点等を解決するためになされたものであり、遊技球を好適に流下させることができる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、遊技球が流下可能な第１流路と、遊技球が流下可能に構成され、前記第１流路とは異なる第２流路と、を備え、前記第１流路と前記第２流路とのうち少なくとも一方が変位することで、前記第１流路と前記第２流路とが連通し、前記第１流路を流下した遊技球が前記第２流路へと流入可能となる第１状態と、前記第１流路と前記第２流路とが離間し、前記第１流路を流下した遊技球が前記第２流路へと流入困難となる第２状態と、を少なくとも形成可能なものであり、前記第１流路または前記第２流路のうち一方に変位可能に配設され、前記第１流路または前記第２流路のうち他方に当接する特定位置に変位することで前記第１流路と前記第２流路とを連通させる変位手段と、前記第２状態において前記第１流路へと流入した遊技球が前記第２流路方向へと流下することを、前記第２状態の間抑制することが可能な抑制手段と、所定の実行条件の成立に基づいて遊技者に有利な特典遊技を実行する特典遊技実行手段と、を備え、前記第２流路は、流入した遊技球が前記第１流路側へと戻り難く構成されているものであり、前記遊技機は、前記特典遊技の実行中において予め定められた特定条件が成立すると前記第１流路へと複数の遊技球が流入し易くなるように構成されている。
【手続補正６】
【補正対象書類名】明細書
【補正対象項目名】０００７
【補正方法】変更
【補正の内容】
【０００７】
請求項２記載の遊技機は、請求項１記載の遊技機において、遊技球を遊技領域へと発射可能な発射手段を備える。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
本発明の遊技機によれば、遊技球が流下可能な第１流路と、遊技球が流下可能に構成され、前記第１流路とは異なる第２流路と、を備え、前記第１流路と前記第２流路とのうち少なくとも一方が変位することで、前記第１流路と前記第２流路とが連通し、前記第１流路を流下した遊技球が前記第２流路へと流入可能となる第１状態と、前記第１流路と前記第２流路とが離間し、前記第１流路を流下した遊技球が前記第２流路へと流入困難となる第２状態と、を少なくとも形成可能なものであり、前記第１流路または前記第２流路のうち一方に変位可能に配設され、前記第１流路または前記第２流路のうち他方に当接する特定位置に変位することで前記第１流路と前記第２流路とを連通させる変位手段と、前記第２状態において前記第１流路へと流入した遊技球が前記第２流路方向へと流下することを、前記第２状態の間抑制することが可能な抑制手段と、所定の実行条件の成立に基づいて遊技者に有利な特典遊技を実行する特典遊技実行手段と、を備え、前記第２流路は、流入した遊技球が前記第１流路側へと戻り難く構成されているものであり、前記遊技機は、前記特典遊技の実行中において予め定められた特定条件が成立すると前記第１流路へと複数の遊技球が流入し易くなるように構成されている。
【手続補正１１】
【補正対象書類名】明細書
【補正対象項目名】００１２
【補正方法】変更
【補正の内容】
【００１２】
これにより、遊技球を好適に流下させることができるという効果がある。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】２６２６
【補正方法】変更
【補正の内容】
【２６２６】
１０                      パチンコ機（遊技機）
８２                      第１特定入賞口（入球手段）
８２ａ                    第１可変入賞装置（可変部材）
８２ｂ                    センサ部材（検出手段）
４２２ 第２通路形成部材（第２流路）
４２４ 接続部材（変位手段）
５００ 左揺動ユニット（第１流路）
５１５                    流下通路（抑制手段）
５２０                    第１通路形成部材（誘導流路、第１流路の一部）
Ｓ２１４                  特典遊技実行手段
Ｓ３０５                  判別手段
Ｓ１１０６                可変制御手段
Ｓ２４０４                可動手段